(57)【要約】【課題】  十分な広角域を有し、コンパクトな構成をとり得る構成としながら、高変倍のズームレンズとそれを用いた撮像装置。【解決手段】  物体側より順に、負屈折力の第１レンズ群Ｇ１、正屈折力の第２レンズ群Ｇ２、正屈折力の第３レンズ群Ｇ３を有し、各レンズ群の間隔を変化させることで２倍を超える変倍を行い、条件式（１）を満足するズームレンズであって、第１レンズ群Ｇ１は、群中何れかに、物体側の曲率絶対値よりも像側の曲率絶対値が大きい面である負レンズＬ11と、その負レンズＬ11の像側の何れかに配された２枚のレンズＬ12、Ｌ13とを含み、第１レンズ群Ｇ１を構成するレンズの中、レンズＬ11、Ｌ12、Ｌ13のみが条件式（４）を満足し、さらに、条件式（２）、（３）、（５）を満足するズームレンズ。【選択図】        図１
2006343534.tif 000002
【特許請求の範囲】
【請求項１】
物体側より順に、負屈折力の第１レンズ群、正屈折力の第２レンズ群、正屈折力の第３レンズ群を有し、各レンズ群の間隔を変化させることで２倍を超える変倍を行い、下記条件式（１）を満足するズームレンズであって、
前記第１レンズ群は、群中何れかに、物体側の曲率絶対値よりも像側の曲率絶対値が大きい面である負レンズＬ11と、その負レンズＬ11の像側の何れかに配された２枚のレンズＬ12、Ｌ13とを含み、
前記第１レンズ群を構成するレンズの中、前記レンズＬ11、Ｌ12、Ｌ13のみが下記条件式（４）を満足し、
さらに、以下の条件式（２）、（３）、（５）を満足することを特徴とするズームレンズ。
０．７６＜ＩＨ／ｆw ＜１．５                                  ・・・（１）
０．０５＜｜ｄa ／ｆ1G｜＜１０                                ・・・（２）
ＩＨ／ＨＢ1 ＜０．５                                          ・・・（３）
０．５＜ｄx ／ｄ11＜４                                        ・・・（４）
０．８０＜（ｄ11＋ｄ12＋ｄ13）／ｄtotal ≦１．００            ・・・（５）
ただし、ＩＨはズームレンズの撮影像高、
ｆw はズームレンズ全系の広角端での焦点距離、
ｆ1Gは第１レンズ群の焦点距離、
ＨＢ1 は第１レンズ群の像側レンズ面頂から後側主点までの距離であり、物体側方向を正とし、
ｄ11は負レンズＬ11の中肉厚、
ｄ12はレンズＬ12の中肉厚、
ｄ13はレンズＬ13の中肉厚、
ｄx はレンズＬ1x（ｘ＝１，２）の中肉厚、
ｄtotal は第１レンズ群におけるレンズの中肉厚の和、
ｄa は、ズームレンズ全系が以下の条件（ａ）を満足する何れかの焦点距離ｆraのときの第１レンズ群と第２レンズ群との軸上間隔、
ＩＨ／０．９２＜ｆra＜ＩＨ／０．７６                          ・・・（ａ）
である。
【請求項２】
請求項１記載のズームレンズにおいて、前記条件式（３）に下限値を設けた以下の条件式（３’）を満足することを特徴とするズームレンズ。
０．２＜ＩＨ／ＨＢ1 ＜０．５                                ・・・（３’）
【請求項３】
請求項１又は２記載のズームレンズにおいて、以下の条件式を満足することを特徴とするズームレンズ。
０．２＜ｄ11／ＩＨ＜１                                        ・・・（６）
【請求項４】
請求項１から３の何れか１項に記載のズームレンズにおいて、前記レンズＬ12は、前記負レンズＬ11に対し少なくとも軸上の空気間隔を挟んで像側に配置され、かつ、物体側に凸面を向けた負メニスカスレンズであり、前記レンズＬ13は、前記レンズＬ12に対し少なくとも軸上の空気間隔を挟んで像側に配置された正レンズであることを特徴とするズームレンズ。
【請求項５】
請求項４記載のズームレンズにおいて、前記第１レンズ群は、物体側より順に、前記負レンズＬ11と、前記負メニスカスレンズＬ12と、前記正レンズＬ13にて構成されたことを特徴とするズームレンズ。
【請求項６】
請求項１から４の何れか１項に記載のズームレンズにおいて、前記第１レンズ群は４枚以上のレンズで構成され、かつ、前記負レンズＬ11、前記レンズＬ12、前記レンズＬ13に加えて、以下の条件式を満足する少なくとも１枚のレンズＬy1を備えることを特徴とするズームレンズ。
０＜ｄy1／ｄ11＜０．５                                        ・・・（７）
ただし、ｄy1はレンズＬy1の中肉厚、
である。
【請求項７】
請求項６記載のズームレンズにおいて、前記条件式（７）に代えて以下の条件式（７’）を満足することを特徴とするズームレンズ。
０．０５＜ｄy1／ｄ11＜０．２                              ・・・（７’）  
【請求項８】
請求項６又は７記載のズームレンズにおいて、前記レンズＬ12は、前記負レンズＬ11に対し少なくとも軸上の空気間隔を挟んで像側に配置され、かつ、物体側に凸面を向けた負メニスカスレンズであり、前記レンズＬ13は、前記レンズＬ12に対して少なくとも軸上の空気間隔を挟んで像側に配置された正レンズであり、前記レンズＬ12の像側に前記レンズＬy1を配置し、かつ、前記レンズＬy1を負レンズとしたことを特徴とするズームレンズ。
【請求項９】
請求項１から８の何れか１項に記載のズームレンズにおいて、前記負レンズＬ11は、前記第１レンズ群の最も物体側に配され、かつ、物体側に凸面を向けた負メニスカスレンズであることを特徴とするズームレンズ。
【請求項１０】
請求項１から９の何れか１項に記載のズームレンズにおいて、前記第１レンズ群内の少なくとも何れかのレンズが非球面を有する負レンズであることを特徴とするズームレンズ。
【請求項１１】
請求項１０記載のズームレンズにおいて、前記負レンズＬ12は２面の非球面を有することを特徴とするズームレンズ。
【請求項１２】
請求項１から１１の何れか１項に記載のズームレンズにおいて、広角端から望遠端への変倍に際し、前記第１レンズ群は移動し、前記第２レンズ群は物体側に移動し、かつ、前記変倍時に前記第２レンズ群と共に移動する開口絞りを備えたことを特徴とするズームレンズ。
【請求項１３】
請求項１２記載のズームレンズにおいて、前記開口絞りが前記第１レンズ群と前記第２レンズ群との間に配置されたことを特徴とするズームレンズ。
【請求項１４】
請求項１から１３の何れか１項に記載のズームレンズにおいて、物体側より順に、屈折力を有するレンズ群を、前記負屈折力の第１レンズ群、前記正屈折力の第２レンズ群、前記正屈折力の第３レンズ群の３群ズームレンズとしたことを特徴とするズームレンズ。
【請求項１５】
請求項１から１４の何れか１項に記載のズームレンズにおいて、前記第３レンズ群を１枚の正レンズで構成したことを特徴とするズームレンズ。
【請求項１６】
請求項１から１５の何れか１項に記載のズームレンズにおいて、前記第３レンズ群が、少なくとも１面の非球面を有する正レンズを有することを特徴とするズームレンズ。
【請求項１７】
請求項１から１６の何れか１項に記載のズームレンズにおいて、前記第２レンズ群は、物体側から順に、正レンズ成分、負レンズ成分、正レンズ成分を含むことを特徴とするズームレンズ。ただし、レンズ成分は、物体側面と像側面が空気に接触し、それらの面間に空間を持たないレンズ、つまり、単レンズ又は接合レンズとする。
【請求項１８】
請求項１から１７の何れか１項に記載のズームレンズにおいて、前記第２レンズ群は最も物体側に正レンズ成分を有し、該正レンズ成分が以下の条件式を満足することを特徴とするズームレンズ。
−８＜（ｒ21＋ｒ22）／（ｒ21−ｒ22）＜０                      ・・・（８）
ただし、レンズ成分は、物体側面と像側面が空気に接触し、それらの面間に空間を持たないレンズ、つまり、単レンズ又は接合レンズとし、
ｒ21は前記正レンズ成分の物体側面の近軸曲率半径、
ｒ22は前記正レンズ成分の像側面の近軸曲率半径、
である。
【請求項１９】
請求項１８記載のズームレンズにおいて、前記条件式（８）に代えて以下の条件式（８’）を満足することを特徴とするズームレンズ。
−２＜（ｒ21＋ｒ22）／（ｒ21−ｒ22）＜−０．５              ・・・（８’）
【請求項２０】
請求項１から１９の何れか１項に記載のズームレンズにおいて、前記第２レンズ群の最も物体側のレンズ面が非球面であることを特徴とするズームレンズ。    
【請求項２１】
請求項１７から２０の何れか１項に記載のズームレンズにおいて、前記第２レンズ群は、物体側から順に、正屈折力の単レンズ、正レンズと負レンズとの接合レンズ、正屈折力の単レンズから構成されることを特徴とするズームレンズ。
【請求項２２】
ズームレンズと、その像側に配され、光学像を電気信号に変換する電子撮像素子とを備えた電子撮像装置であって、前記ズームレンズが請求項１から２１の何れか１項に記載のズームレンズであることを特徴とする電子撮像装置。
【発明の詳細な説明】
【技術分野】
【０００１】
本発明は、ズームレンズとそれを用いた電子撮像装置に関し、特に、画角の広い領域を含むズームレンズと電子撮像装置に関するものである。
【背景技術】
【０００２】
所謂レンズ一体型デジタルカメラ等に適用可能な高い結像性能を有し、画角の広い領域を含むズームレンズへの要望が高まっている。また、これらのズームレンズは単に撮影範囲が広いだけでなく、所謂デジタルズームと呼ばれる撮影画像の一部を拡大する機能との組み合わせで、撮影範囲を変更できる自由度を広げることが期待されている。ただし、デジタルズームの場合、撮影画像の一部を拡大するので、撮影レンズ性能や撮像素子性能より画質が劣化するので、ある程度変倍比を持つズームレンズが望まれている。
【０００３】
これまで、コンパクトでズーム倍率が３倍を越え、画角の広い領域を含むズームレンズ等は提案されていなかった。
【０００４】
これまでの提案としては、ズーム倍率が３倍を越え、比較的画角が広くコンパクトな撮影用ズームレンズとして、特許文献１や特許文献２等のものがあるが、さらなる広角化が望まれている。
【特許文献１】特開２００４−１９１５９９号公報
【特許文献２】特開２００１−４２２１８号公報
【特許文献３】特開２００４−４５３３号公報
【特許文献４】特開２００４−５６４３４３号公報
【発明の開示】
【発明が解決しようとする課題】
【０００５】
本発明は従来技術のこのような状況に鑑みてなされたものであり、その目的は、十分な広角域を有し、コンパクトな構成をとり得る構成としながら、高変倍のズームレンズとそれを用いた撮像装置を提供することである。
【０００６】
特に、２倍さらには３倍を越える変倍比を持ち、電子撮像素子を用いる撮影用のズームレンズ、電子撮像装置を提供することを目的としている。
【課題を解決するための手段】
【０００７】
上記目的を達成する本発明の第１のズームレンズは、物体側より順に、負屈折力の第１レンズ群、正屈折力の第２レンズ群、正屈折力の第３レンズ群を有し、各レンズ群の間隔を変化させることで２倍を超える変倍を行い、下記条件式（１）を満足するズームレンズであって、
前記第１レンズ群は、群中何れかに、物体側の曲率絶対値よりも像側の曲率絶対値が大きい面である負レンズＬ11と、その負レンズＬ11の像側の何れかに配された２枚のレンズＬ12、Ｌ13とを含み、
前記第１レンズ群を構成するレンズの中、前記レンズＬ11、Ｌ12、Ｌ13のみが下記条件式（４）を満足し、
さらに、以下の条件式（２）、（３）、（５）を満足することを特徴とするものである。
【０００８】
０．７６＜ＩＨ／ｆw ＜１．５                                  ・・・（１）
０．０５＜｜ｄa ／ｆ1G｜＜１０                                ・・・（２）
ＩＨ／ＨＢ1 ＜０．５                                          ・・・（３）
０．５＜ｄx ／ｄ11＜４                                        ・・・（４）
０．８０＜（ｄ11＋ｄ12＋ｄ13）／ｄtotal ≦１．００            ・・・（５）
ただし、ＩＨはズームレンズの撮影像高、
ｆw はズームレンズ全系の広角端での焦点距離、
ｆ1Gは第１レンズ群の焦点距離、
ＨＢ1 は第１レンズ群の像側レンズ面頂から後側主点までの距離であり、物体側方向を正とし、
ｄ11は負レンズＬ11の中肉厚、
ｄ12はレンズＬ12の中肉厚、
ｄ13はレンズＬ13の中肉厚、
ｄx はレンズＬ1x（ｘ＝１，２）の中肉厚、
ｄtotal は第１レンズ群におけるレンズの中肉厚の和、
ｄa は、ズームレンズ全系が以下の条件（ａ）を満足する何れかの焦点距離ｆraのときの第１レンズ群と第２レンズ群との軸上間隔、
ＩＨ／０．９２＜ｆra＜ＩＨ／０．７６                          ・・・（ａ）
である。
【０００９】
本発明の第２のズームレンズは、第１のズームレンズにおいて、前記条件式（３）に下限値を設けた以下の条件式（３’）を満足することを特徴とするものである。
【００１０】
０．２＜ＩＨ／ＨＢ1 ＜０．５                                ・・・（３’）
以下に、本発明の第１、第２のズームレンズにおいて上記構成をとる理由と作用を説明する。
【００１１】
物体側より順に、負屈折力の第１レンズ群と、可変間隔を挟んで第１レンズ群よりも像側に配された正屈折力の第２レンズ群とを含む構成とすることで、大きい画角で入射する光束に対して負の屈折力にて光束を屈折させ、正屈折力の第２レンズ群に導く構成となる。
【００１２】
そのため、条件式（１）を満足する広角端での焦点距離による広い撮影画角を維持しつつも、第１レンズ群の外径を小さくすることが可能となる。
【００１３】
第１レンズ群の外径を小さくすることにより、第１レンズ群の構成長をコンパクトにしながら第１レンズ群のパワーの確保に有利となる。
【００１４】
そして、本発明では、さらに正屈折力の第２レンズ群の像面側に正屈折力の第３レンズ群を配置することにより、光束の像面への入射角度の変化を低減させることができる。
【００１５】
特に、ズームレンズの像側に、光学像を電気信号に変換する電子撮像素子を配する構成とした場合、本発明のズームレンズでは、テレセントリック性の確保ができるため、光線が撮像素子へ斜めに入射することによる悪影響を低減できる。
【００１６】
本発明は、条件式（１）を満足しながら第１レンズ群のパワーが条件式（２）を満足するように適度な強さとしている。
【００１７】
それにより、撮影使用時における広角端と望遠端の全長のバランスがとれ、結果として、鏡筒構造を含め、コンパクトなズームレンズとし得る。
【００１８】
そして、本発明では、さらに  条件式（３）を満足させ、第１レンズ群の後側主点位置を像側レンズ面から物体側に長くしている。それにより、第１レンズ群を主点に対して像寄りとし、１枚目のレンズに入射する光線高が低くできる。結果として１枚目のレンズの径を小さくできる。
【００１９】
特に負の第１レンズ群を構成するレンズの中肉厚を薄くすることにより、この小型化の効果は大きくなる。
【００２０】
ただし、第１レンズ群を構成するレンズの中、３枚のレンズについては中肉厚をある程度厚くすることで、鏡枠構造を強くするとよい。また、そのような構成により、レンズ面同士の間隔を確保させ、収差補正能力を高めることができる。
【００２１】
そのため、本発明では、３枚のレンズＬ11、Ｌ12、Ｌ13にて厚さが近似するように、条件式（４）を定め、かつ、厚さのあるレンズ枚数や、第１レンズ群のレンズ枚数が多くなりすぎないように条件式（５）を特定している。
【００２２】
なお、物体に近いＬ11は、像側に強い凹面を持たせることにより、軸外光線の入射角度に対して垂直に近い面構成にでき、収差の発生を抑えられる。また、ズームレンズのレトロフォーカスタイプによる広角化の効果を高めることができる。
【００２３】
一方、負レンズＬ11以降のレンズはレンズの有効径が小さくなる。そのため、第１レンズ群の枠構造の強化、収差補正を行いつつ、大型化を抑えるためには、負レンズＬ11以降の複数のレンズＬ12、Ｌ13にて中肉厚を確保することが好ましい。これを規定したものが、条件式（４）、（５）である。
【００２４】
本発明は、このように構成することで、変倍比２を超える広角域を含むズームレンズであって、コンパクトな構成としながらも光学性能を維持し得るものである。
【００２５】
なお、条件式（１）の下限の０．７６を越えると、撮影範囲が狭くなり、画像処理等でも撮影範囲がカバーできなくなる。一方、条件式（１）の上限の１．５を越えると、負の第１レンズ群への屈折力、収差補正の負荷が大きくなり、第１レンズ群をコンパクトにすることが難しくなる。
【００２６】
条件式（２）の下限の０．０５を越えると、第１レンズ群と第２レンズ群が干渉する。条件式（２）の上限の１０を越えると、第２レンズ群のパワーが強くなる等、第２レンズ群以降の構成が複雑になってしまう。
【００２７】
条件式（３）の上限の０．５を越えると、結果的に入射瞳位置が遠くなり、第１レンズ群の外径が大きくなりコンパクト性が損なわれる。
【００２８】
条件式（４）の下限の０．５を越えると、レンズＬ11に対してレンズＬ12、Ｌ13の強度が小さくなり、鏡枠の強度が損なわれる。また、レンズ面の間隔が近くなり効果的な収差補正が難しくなる。一方、条件式（４）の上限の４を越えると、第１レンズ群の構成長が長くなり、条件式（４）を満足することによる小型化の効果が小さくなり、コンパクト性を損なう。若しくは、負レンズＬ11の中肉厚が小さくなりすぎ、強度が低下する。
【００２９】
条件式（５）は、第１レンズ群が４枚以上の場合、３枚を超えるレンズについては、中肉厚を薄くすることを要求するものである。つまり、性能を高めるために第１レンズ群にて、レンズＬ11、Ｌ12、Ｌ13の他にレンズを有しても、レンズ外径が大きくならないための条件である。条件式（５）の下限の０．８０を越えると、前述の３枚のレンズ以外に厚いレンズを有する、若しくは、多くのレンズを備えることになり、小型化し難くなる。条件式（５）の上限値は１．００であるが、これは、第１レンズ群がレンズＬ11、Ｌ12、Ｌ13の３枚で構成した場合である。
【００３０】
なお、条件式（１）について、下限値を０．８５、さらには０．８７とするとより好ましい。
【００３１】
上限値を１．３、さらには１．１とするとより好ましい。
【００３２】
条件式（２）について、下限値を１．０、さらには２．０とするとより好ましい。
【００３３】
上限値を７．０、さらには５．０、さらには３．０とするとより好ましい。
【００３４】
条件式（３）にて、下限値０．２を設け、条件式（３’）としてもよい。この下限の０．２を越えると、第１レンズ群の主点位置が物体側に寄りすぎ、第１レンズ群のパワーが強くなりすぎ、収差の補正が困難となる。
【００３５】
さらには、条件式（３’）にて、下限値を０．３、さらには０．３５とするとより好ましい。
【００３６】
また、条件式（３’）にて、上限値を０．４７、さらには０．４５とするとより好ましい。
【００３７】
条件式（４）について、下限値を０．７、さらには０．８とするとより好ましい。
【００３８】
上限値を３．０、さらには２．５とするとより好ましい。
【００３９】
また、レンズＬ12、Ｌ13の中、物体側のレンズをＬ12とするとき、Ｌ12を負レンズとし、Ｌ13を正レンズとすると、第１レンズ群でのワイドコンバーションレンズの機能により広角化を行いやすくなる。
【００４０】
さらには、以下の条件式を満足すると、レンズの厚さと各レンズのパワー負担のバランスがとりやすく構成できる。
【００４１】
０．７＜ｄ12／ｄ11＜１．３
１．５＜ｄ13／ｄ11＜２．５
条件式（５）にて、下限値を０．８７、さらには０．９３とするとより好ましい。
【００４２】
また、第１レンズ群での外径の大型化を抑えつつ、ズームレンズ全系での射出角を小さくし、系全体の収差補正を行いやすくするために、明るさ絞り（開口絞り）を第１レンズ群よりも像面側で第２レンズ群の最も像側のレンズよりも物体側に配することが好ましい。
【００４３】
また、さらには、条件式（２）にて、ｆra＝ｆw としてもよい。
【００４４】
本発明の第３のズームレンズは、第１、第２のズームレンズにおいて、以下の条件式を満足することを特徴とするものである。
【００４５】
０．２＜ｄ11／ＩＨ＜１                                        ・・・（６）
以下に、本発明の第３のズームレンズにおいて上記構成をとる理由と作用を説明する。      
【００４６】
レンズＬ11は第１レンズ群の中でも高い位置を光線が通るレンズになる。外径も比較的大きくすることが望ましい。条件式（６）の下限の０．２を越えると、レンズ強度的に好ましくなく、上限の１を越えると、入射瞳が遠くなり、又、物体側の光束がレンズ系に入射した部位からレンズＬ11の像面側の凹面への入射部位までの距離が長くなり、好ましくない。
【００４７】
条件式（６）について、下限値を０．３、さらには０．３５とするとより好ましい。
【００４８】
上限値を０．６、さらには０．５とするとより好ましい。
【００４９】
本発明の第４のズームレンズは、第１〜第３のズームレンズにおいて、前記レンズＬ12は、前記負レンズＬ11に対し少なくとも軸上の空気間隔を挟んで像側に配置され、かつ、物体側に凸面を向けた負メニスカスレンズであり、前記レンズＬ13は、前記レンズＬ12に対し少なくとも軸上の空気間隔を挟んで像側に配置された正レンズであることを特徴とするものである。
【００５０】
以下に、本発明の第４のズームレンズにおいて上記構成をとる理由と作用を説明する。      
【００５１】
レンズＬ11とレンズＬ12で軸外光線を徐々に曲げることができるので、軸外収差の発生を抑えられる。さらにその像面側にレンズＬ13を配置することで、色収差の補正を行うことができる。
【００５２】
第１レンズ群全体で、Ｌ11とＬ12の負レンズ、Ｌ13の正レンズというレトロフォーカスシステムをとることで、主点を物体側に配置し、レンズの外径をコンパクトにすることができる。また、収差を抑えつつ第１レンズ群にワイドコンバージョンレンズの機能を持たせられる。
【００５３】
本発明の第５のズームレンズは、第４のズームレンズにおいて、前記第１レンズ群は、物体側より順に、前記負レンズＬ11と、前記負メニスカスレンズＬ12と、前記正レンズＬ13にて構成されたことを特徴とするものである。
【００５４】
以下に、本発明の第５のズームレンズにおいて上記構成をとる理由と作用を説明する。      
【００５５】
レンズＬ11とレンズＬ12で軸外光線を徐々に曲げることができるので、軸外収差の発生を抑えられる。さらにその像面側にレンズＬ13を配置することで、色収差の補正を行うことができる。
【００５６】
このようにして、第１レンズ群全体で、Ｌ11とＬ12の負レンズ、Ｌ13の正レンズというレトロフォーカスシステムをとることで、主点を物体側に配置し、レンズの外径をコンパクトにすることができる構造となり、構成枚数が少なく、全長、コスト上有利である。
【００５７】
本発明の第６のズームレンズは、第１〜第４のズームレンズにおいて、前記第１レンズ群は４枚以上のレンズで構成され、かつ、前記負レンズＬ11、前記レンズＬ12、前記レンズＬ13に加えて、以下の条件式を満足する少なくとも１枚のレンズＬy1を備えることを特徴とするものである。
【００５８】
０＜ｄy1／ｄ11＜０．５                                        ・・・（７）
ただし、ｄy1はレンズＬy1の中肉厚、
である。
【００５９】
本発明の第７のズームレンズは、第６のズームレンズにおいて、前記条件式（７）に代えて以下の条件式（７’）を満足することを特徴とするものである。
【００６０】
０．０５＜ｄy1／ｄ11＜０．２                              ・・・（７’）  
以下に、本発明の第６、第７のズームレンズにおいて上記構成をとる理由と作用を説明する。
【００６１】
第１レンズ群は４枚以上のレンズで構成することにより、さらに光学性能を上げることができる。一般的に構成枚数を増やすと光学性能を向上できるのは周知ではあるが、本発明のように画角の大きいズームレンズ系の場合、光学系への入射光の光軸からの高さを低くすることが、コンパクト性と高性能化を両立する要件になり、単純なレンズ枚数の増加は性能の向上には結びつかない。条件式（７）の上限の０．５を越えると、第１レンズ群の構成長が長くなり、レンズへ入射する光線高が高くなり、構成枚数を増やすことによる性能への効果も小さくなり好ましくない。強度については他のレンズでカバーできるので、下限値の０については、レンズが構成できる程度でよい。
【００６２】
さらに好ましくは、レンズＬy1のアッベ数をレンズＬ12、Ｌ13のアッベ数より大きく、さらに好ましくは１０以上大きくし、屈折率をレンズＬ12、Ｌ13の屈折率より小さくすることで、他の収差を高いレベルにしたまま、色収差補正上有利に構成することができ、好ましい。
【００６３】
条件式（７）について、下限値を０．０５とすると、軸上での収差補正を行いやすくなる。また、上限値を０．２とすることが、コンパクト化の点でより好ましい。例えば、条件式（７’）を満足することが好ましい、
本発明の第８のズームレンズは、第６、第７のズームレンズにおいて、前記レンズＬ12は、前記負レンズＬ11に対し少なくとも軸上の空気間隔を挟んで像側に配置され、かつ、物体側に凸面を向けた負メニスカスレンズであり、前記レンズＬ13は、前記レンズＬ12に対して少なくとも軸上の空気間隔を挟んで像側に配置された正レンズであり、前記レンズＬ12の像側に前記レンズＬy1を配置し、かつ、前記レンズＬy1を負レンズとしたことを特徴とするものである。
【００６４】
以下に、本発明の第８のズームレンズにおいて上記構成をとる理由と作用を説明する。      
【００６５】
レンズＬ11とレンズＬ12で軸外光線を徐々に曲げることができるので、軸外収差の発生を抑えられる。さらにその像面側にレンズＬ13を配置することで、色収差の補正を行うことができる。
【００６６】
第１レンズ群全体で、Ｌ11とＬ12の負レンズ、Ｌ13の正レンズというレトロフォーカスシステムをとることで、主点を物体側に配置し、レンズの外径をコンパクトにすることができる。さらに、負レンズＬy1をレンズＬ12の像側に配置することで、全体の構成長を変えることなく、軸外収差の補正上有利になる。なお、負レンズＬy1はレンズＬ12の像側の面上に構成してもよい。
【００６７】
本発明の第９のズームレンズは、第１〜第８のズームレンズにおいて、前記負レンズＬ11は、前記第１レンズ群の最も物体側に配され、かつ、物体側に凸面を向けた負メニスカスレンズであることを特徴とするものである。
【００６８】
以下に、本発明の第９のズームレンズにおいて上記構成をとる理由と作用を説明する。      
【００６９】
このように構成すると、広角側で発生しやすい歪曲収差等の軸外収差の劣化を抑えやすく、広角端の画角を大きくしやすい。
【００７０】
本発明の第１０のズームレンズは、第１〜第９のズームレンズにおいて、前記第１レンズ群内の少なくとも何れかのレンズが非球面を有する負レンズであることを特徴とするものである。
【００７１】
以下に、本発明の第１０のズームレンズにおいて上記構成をとる理由と作用を説明する。
【００７２】
このように構成すると、像面湾曲等の軸外収差を効率良く補正してレンズを小さくできる。
【００７３】
本発明の第１１のズームレンズは、第１０のズームレンズにおいて、前記負レンズＬ12は２面の非球面を有することを特徴とするものである。
【００７４】
以下に、本発明の第１１のズームレンズにおいて上記構成をとる理由と作用を説明する。
【００７５】
このような構成にすることで、軸外光束へ徐々に非球面による効果を与えることができるので、非球面の面数を増やすことが望ましい一方、非球面を有するレンズを少なくすることで、製造コスト等の製造面で有利にすることができる。
【００７６】
本発明の第１２のズームレンズは、第１〜第１１のズームレンズにおいて、広角端から望遠端への変倍に際し、前記第１レンズ群は移動し、前記第２レンズ群は物体側に移動し、かつ、前記変倍時に前記第２レンズ群と共に移動する開口絞りを備えたことを特徴とするものである。
【００７７】
以下に、本発明の第１２のズームレンズにおいて上記構成をとる理由と作用を説明する。
【００７８】
変倍を行う第２レンズ群と共に開口絞りを移動させることで、第２レンズ群への入射光束の範囲の変化を小さくでき、第２レンズ群の移動に伴う収差変動を抑えることができる。
【００７９】
本発明の第１３のズームレンズは、第１２のズームレンズにおいて、前記開口絞りが前記第１レンズ群と前記第２レンズ群との間に配置されたことを特徴とするものである。
【００８０】
以下に、本発明の第１３のズームレンズにおいて上記構成をとる理由と作用を説明する。
【００８１】
このように構成すると、入射瞳を浅くでき、第１レンズ群の外径を小さくできる。また、第２レンズ群内の製造誤差によるレンズ素子の偏心を小さくできやすくなり、鏡枠構造やレンズ構成を簡易にしやすい。
【００８２】
本発明の第１４のズームレンズは、第１〜第１３のズームレンズにおいて、物体側より順に、屈折力を有するレンズ群を、前記負屈折力の第１レンズ群、前記正屈折力の第２レンズ群、前記正屈折力の第３レンズ群の３群ズームレンズとしたことを特徴とするものである。
【００８３】
以下に、本発明の第１４のズームレンズにおいて上記構成をとる理由と作用を説明する。
【００８４】
レンズ系全体として少ない群数で広角レンズ系に有利なレトロフォーカスシステムとし、かつ、電子撮像素子に適した射出瞳のコントロールを行うことができる。
【００８５】
本発明の第１５のズームレンズは、第１〜第１４のズームレンズにおいて、前記第３レンズ群を１枚の正レンズで構成したことを特徴とするものである。
【００８６】
以下に、本発明の第１５のズームレンズにおいて上記構成をとる理由と作用を説明する。
【００８７】
変倍と収差補正は主に第１レンズ群、第２レンズ群で行い、第３レンズ群を１枚にすれば薄型化が実現できる。
【００８８】
本発明の第１６のズームレンズは、第１〜第１５のズームレンズにおいて、前記第３レンズ群が、少なくとも１面の非球面を有する正レンズを有することを特徴とするものである。
【００８９】
以下に、本発明の第１６のズームレンズにおいて上記構成をとる理由と作用を説明する。
【００９０】
非球面を設けることで、軸外の収差の補正とテレセントリック性の確保の両立が容易になり、第３レンズ群の薄型化を実現できる。
【００９１】
本発明の第１７のズームレンズは、第１〜第１６のズームレンズにおいて、前記第２レンズ群は、物体側から順に、正レンズ成分、負レンズ成分、正レンズ成分を含むことを特徴とするものである。ただし、レンズ成分は、物体側面と像側面が空気に接触し、それらの面間に空間を持たないレンズ、つまり、単レンズ又は接合レンズとする。
【００９２】
以下に、本発明の第１７のズームレンズにおいて上記構成をとる理由と作用を説明する。
【００９３】
このような構成をとることで、群の移動に伴う収差変動を抑えることができる構成にでき、すなわち、第２レンズ群は主となる変倍を行わせることができ、光学系全体の構成を簡易にでき望ましい。
【００９４】
本発明の第１８のズームレンズは、第１〜第１７のズームレンズにおいて、前記第２レンズ群は最も物体側に正レンズ成分を有し、該正レンズ成分が以下の条件式を満足することを特徴とするものである。
【００９５】
−８＜（ｒ21＋ｒ22）／（ｒ21−ｒ22）＜０                      ・・・（８）
ただし、レンズ成分は、物体側面と像側面が空気に接触し、それらの面間に空間を持たないレンズ、つまり、単レンズ又は接合レンズとし、
ｒ21は前記正レンズ成分の物体側面の近軸曲率半径、
ｒ22は前記正レンズ成分の像側面の近軸曲率半径、
である。
【００９６】
本発明の第１９のズームレンズは、第１８のズームレンズにおいて、前記条件式（８）に代えて以下の条件式（８’）を満足することを特徴とするものである。
【００９７】
−２＜（ｒ21＋ｒ22）／（ｒ21−ｒ22）＜−０．５              ・・・（８’）
以下に、本発明の第１８、第１９のズームレンズにおいて上記構成をとる理由と作用を説明する。
【００９８】
第２レンズ群は、最も物体側に物体側に強い凸面を有する正レンズを配置することで、第２レンズ群の主点を物体側寄りにして、高変倍を達成しやすくなる。特に、第１レンズ群がその外径をコンパクトにするため、第１レンズ群の主点を物体側に配置する構成をとる場合、上記構成は有効である。
【００９９】
条件式（８）の下限の−８を越えると、レンズのパワーが弱くなり、結果として第２レンズ群の構成を簡易にするのが困難になる等、好ましくない。条件式（８）の上限の０を越えると、主点を物体側に配置する効果が小さくなり好ましくない。
【０１００】
条件式（８）において、下限値を−２、さらには−１．５とすることがより好ましい。      
【０１０１】
若しくは、上限値を−０．５、さらには−０．８とすることがより好ましい。
【０１０２】
例えば、条件式（８）の上下限の双方を縮減し、条件式（８’）とするとより好ましい。
【０１０３】
本発明の第２０のズームレンズは、第１〜第１９のズームレンズにおいて、前記第２レンズ群の最も物体側のレンズ面が非球面であることを特徴とするものである。
【０１０４】
以下に、本発明の第２０のズームレンズにおいて上記構成をとる理由と作用を説明する。
【０１０５】
このような構成をとることで、軸上光束の収差を良く補正できる。特に  開口絞りを第２レンズ群の物体側に配置した場合、その効果が高まる。
【０１０６】
本発明の第２１のズームレンズは、第１７〜第２０のズームレンズにおいて、前記第２レンズ群は、物体側から順に、正屈折力の単レンズ、正レンズと負レンズとの接合レンズ、正屈折力の単レンズから構成されることを特徴とするものである。
【０１０７】
以下に、本発明の第２１のズームレンズにおいて上記構成をとる理由と作用を説明する。
【０１０８】
正負の接合レンズを取り入れることで、負レンズの正レンズに対する相対的偏心による性能の劣化を抑えることができる。
【０１０９】
また、第２レンズ群の屈折力を保ちつつ、第２レンズ群のパワー配置を略対称系にして収差の低減を行いやすくし、また、物体側の２つの正レンズにより第２レンズ群の小型化と収差低減を両立しやすくしている。また、第２レンズ群の主点位置の調節も行いやすくなる。
【０１１０】
本発明の電子撮像装置は、ズームレンズと、その像側に配され、光学像を電気信号に変換する電子撮像素子とを備えた電子撮像装置であって、前記ズームレンズが第１〜第２１の何れかのズームレンズであることを特徴とするものである。
【０１１１】
以下に、本発明の電子撮像装置において上記構成をとる理由と作用を説明する。
【０１１２】
本発明の何れかのズームレンズの像側に、光学像を電気信号に変換する電子撮像素子を配した電子撮像装置とすることが好ましい。
【０１１３】
本発明のズームレンズでは、テレセントリック性の確保ができるため、光線が撮像素子へ斜めに入射することによる悪影響を低減できる。その場合、ズームレンズの撮影像高ＩＨは、電子撮像素子上での有効撮像領域の対角長の半分を意味する。有効撮像領域は、電子撮像素子の光電変換面の内、受光した画像について表示、印刷等に使用する撮像領域の最大範囲を意味する。
【０１１４】
以上の本発明において、特許文献３、特許文献４で提案されているような画像処理による歪曲収差の補正を行ってもよい。画像処理による収差補正では、コマ収差や球面収差より歪曲収差の方が容易である旨も特許文献３〜４で報告されている。当然、撮影後、撮影したカメラ機材以外の機材で画像処理を行ってもよい。
【０１１５】
また、以下の条件式（９）から（１４）の何れかの条件式を満足するように構成してもよい。
【０１１６】
−０．０７＜ＩＨ／ｒ1 ＜０．０７                              ・・・（９）
−０．０１５＜ＩＨ／ｒ1 ＜０．０４                          ・・・（９’）
ただし、ｒ1 は第１レンズ群中の最も物体側のレンズ面の近軸曲率半径、
である。
【０１１７】
第１レンズ群中の最も物体側のレンズ面（第１面）の近軸曲率半径を大きくすると、入射瞳位置を浅くすることができるので、レンズ外径の小型化が可能となる。また、コマ収差の補正に有利になり、広画角としても結像性能を維持できる。また、軸上光束径の変化が大きい第１面が光軸付近にて曲率が小さいので、変倍による球面収差の変化を小さくでき、第２レンズ群での収差補正負担を小さくでき、好ましい。
【０１１８】
条件式（９）の下限の−０．０７を越えると、第１面から軸上光束が拡散しすぎ、好ましくない。上限の０．０７を越えると、入射瞳位置が深くなり、レンズの外径が大きくなりコンパクト性を損なうと共に、第１レンズ群のレンズ構成を複雑にしなければならなくなる。又は、コマ収差の補正に不利となる。そのため、レンズ系全体の構成が複雑になり、好ましくない。又は、画角を小さくし、撮影範囲を小さくしなければならなくなる。
【０１１９】
条件式（９）において、下限値を−０．０１５、さらには０．０とすることがより好ましい。
【０１２０】
若しくは、上限値を０．０４、さらには０．０３３とすることがより好ましい。
【０１２１】
例えば、条件式（９）の上下限の双方を縮減し、条件式（９’）とするとより好ましい。
【０１２２】
また、
３．２＜ｆ2G／ｆw                                           ・・・（１０）
３．２＜ｆ2G／ｆw ＜５．５                                ・・・（１０' ）
ただし、ｆ2Gは第２レンズ群の焦点距離、
である。
【０１２３】
条件式（１０）の下限の３．２を越えると、主に変倍を行う第２レンズ群のパワーが強くなりすぎるため、変倍のための群移動に伴う収差変動を抑えることが困難となる。
【０１２４】
条件式（１０）に上限値を設け、条件式（１０’）を満足する構成とすると、さらによい。
【０１２５】
この条件式（１０’）の上限の５．５を越えると、主に変倍を行う第２レンズ群のパワーが弱くなり、変倍機能が下がり、結果として高変倍比を実現し難くなる。
【０１２６】
また、条件式（１０’）にて、下限値を３．３、さらには３．５とするとより好ましい。  また、条件式（１０’）にて、上限値を５．０、さらには４．０とするとより好ましい。
【０１２７】
また、
ＩＨ／ＨＤ12w ＜０．１３                                    ・・・（１１）
ただし、ＨＤ12w は、広角端における第１レンズ群の後側主点から第２レンズ群の前側主点までの距離であり、像側方向を正とする。
【０１２８】
この条件式（１１）の上限の０．１３を越えると、第１、第２レンズ群の主点間距離が短くなる。そのため、望遠端時に第１レンズ群と第２レンズ群の主点間距離をさらに狭くすることが困難となり、高変倍比が得難くなる。
【０１２９】
また、条件式（１１）にて、上限値を０．１２、さらには０．１１とするとより好ましい。
【０１３０】
また、
ＴＬw ／ｆw ＞１３．５                                      ・・・（１２）
ただし、ＴＬw は広角端におけるズームレンズの入射面から像面までの軸上距離、
である。
【０１３１】
この条件式（１２）の下限の１３．５を越えると、広画角を維持しつつ十分に収差補正を行うことが困難となる。
【０１３２】
また、条件式（１２）にて、下限値を１４．０、さらには１５．０とするとより好ましい。
【０１３３】
また、条件式（１２）にて上限値を設け、２５．０より小さくし、広角端でのズームレンズ全長の短縮を行うことが好ましい。
【０１３４】
また、
２．０＜｜ｆ1G／ｆw ｜＜３．５                              ・・・（１３）
この条件式（１３）の上限の３．５を越えて第１レンズ群の焦点距離が長くなると、広角端におけるレンズ全長が長くなり、小型化が実現できない。下限の２．０を越えて第１レンズ群の焦点距離が短くなると、望遠端での第２レンズ群の倍率が大きくなりすぎ、製造誤差による性能劣化が大きくなりやすくなる。
【０１３５】
また、条件式（１３）にて、下限値を２．４、さらには２．７とするとより好ましい。      
【０１３６】
また、条件式（１３）にて、上限値を３．４、さらには３．３とするとより好ましい。
【０１３７】
また、変倍比ｆt ／ｆw （ｆt は、望遠端におけるズームレンズ全系の焦点距離）が以下の条件（１４）を満足するズームレンズとしてもよい。
【０１３８】
２．７＜ｆt ／ｆw ＜１２                                    ・・・（１４）
条件式（１４）の下限の２．７を越えると、コンパクト性の向上程度に対して、遠景の被写体を大きく撮影するときの画質の劣化度が大きくなり好ましくない。条件式（１４）の上限の１２を越えると、第２レンズ群の移動量が大きくなりすぎ、コンパクト性を損なう。
【０１３９】
さらには、条件式（１４）の下限値を３．０、さらには３．５、さらには４．０とするとより好ましい。
【０１４０】
上限値を７．０、さらには６．０とするとより好ましい。
【０１４１】
上述の各構成や条件式は、適宜組み合わせることで、それぞれの効果を奏するので、より効果的である。
【発明の効果】
【０１４２】
以上の本発明によると、十分な広角域を有し、コンパクトな構成をとり得る構成としながら、高変倍のズームレンズとそれを用いた電子撮像装置を得ることができる。
【発明を実施するための最良の形態】
【０１４３】
以下、本発明のズームレンズの実施例１〜５について説明する。実施例１〜５の無限遠物点合焦時の広角端（ａ）、中間状態（ｂ）、望遠端（ｃ）のレンズ断面図をそれぞれ図１〜図５に示す。図１〜図５中、第１レンズ群はＧ１、開口絞りはＳ、第２レンズ群はＧ２、第３レンズ群はＧ３、赤外光を制限する波長域制限コートを施したローパスフィルタを構成する平行平板はＦ、ＣＣＤ、ＣＭＯＳ等の電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【０１４４】
実施例１のズームレンズは、図１に示すように、物体側から順に、負の屈折力の第１レンズ群Ｇ１と、開口絞りＳと、正屈折力の第２レンズ群Ｇ２と、正屈折力の第３レンズ群Ｇ３とから構成されており、広角端から望遠端への変倍をする際に、第１レンズ群Ｇ１は、物体側に凹の軌跡で移動し、望遠端では広角端の位置より若干像面側に位置し、開口絞りＳと第２レンズ群Ｇ２は一体に物体側へ単調に移動し、第３レンズ群Ｇ３は像面側へ移動する。
【０１４５】
物体側から順に、第１レンズ群Ｇ１は、物体側に凸面を向けた負メニスカスレンズ２枚と、物体側に凸面を向けた正メニスカスレンズとからなり、第２レンズ群Ｇ２は、両凸正レンズと、物体側に凸面を向けた正メニスカスレンズと物体側に凸面を向けた負メニスカスレンズの接合レンズと、両凸正レンズとからなり、第３レンズ群Ｇ３は、両凸正レンズ１枚からなる。
【０１４６】
非球面は、第１レンズ群Ｇ１の物体側から２番目の負メニスカスレンズの両面、第２レンズ群Ｇ２の物体側の両凸正レンズの物体側の面、第３レンズ群Ｇ３の両凸正レンズの両面の５面に用いている。
【０１４７】
実施例２のズームレンズは、図２に示すように、物体側から順に、負の屈折力の第１レンズ群Ｇ１と、開口絞りＳと、正屈折力の第２レンズ群Ｇ２と、正屈折力の第３レンズ群Ｇ３とから構成されており、広角端から望遠端への変倍をする際に、第１レンズ群Ｇ１は、物体側に凹の軌跡で移動し、望遠端では広角端の位置より若干像面側に位置し、開口絞りＳと第２レンズ群Ｇ２は一体に物体側へ単調に移動し、第３レンズ群Ｇ３は広角端から中間状態まで像面側へ移動し、中間状態から望遠端までは略固定である。
【０１４８】
物体側から順に、第１レンズ群Ｇ１は、物体側に凸面を向けた負メニスカスレンズ２枚と、物体側に凸面を向けた正メニスカスレンズとからなり、第２レンズ群Ｇ２は、両凸正レンズと、物体側に凸面を向けた正メニスカスレンズと物体側に凸面を向けた負メニスカスレンズの接合レンズと、両凸正レンズとからなり、第３レンズ群Ｇ３は、両凸正レンズ１枚からなる。
【０１４９】
非球面は、第１レンズ群Ｇ１の物体側から２番目の負メニスカスレンズの両面、第２レンズ群Ｇ２の物体側の両凸正レンズの物体側の面、第３レンズ群Ｇ３の両凸正レンズの両面の５面に用いている。
【０１５０】
実施例３のズームレンズは、図３に示すように、物体側から順に、負の屈折力の第１レンズ群Ｇ１と、開口絞りＳと、正屈折力の第２レンズ群Ｇ２と、正屈折力の第３レンズ群Ｇ３とから構成されており、広角端から望遠端への変倍をする際に、第１レンズ群Ｇ１は、物体側に凹の軌跡で移動し、望遠端では広角端の位置より像面側に位置し、開口絞りＳと第２レンズ群Ｇ２は一体に物体側へ単調に移動し、第３レンズ群Ｇ３は像面側へ移動する。
【０１５１】
物体側から順に、第１レンズ群Ｇ１は、物体側に凸面を向けた負メニスカスレンズ２枚と、物体側に凸面を向けた正メニスカスレンズとからなり、第２レンズ群Ｇ２は、物体側に凸面を向けた正メニスカスレンズと、物体側に凸面を向けた正メニスカスレンズと物体側に凸面を向けた負メニスカスレンズの接合レンズと、両凸正レンズとからなり、第３レンズ群Ｇ３は、両凸正レンズ１枚からなる。
【０１５２】
非球面は、第１レンズ群Ｇ１の物体側から２番目の負メニスカスレンズの両面、第２レンズ群Ｇ２の正メニスカスレンズの物体側の面、第３レンズ群Ｇ３の両凸正レンズの両面の５面に用いている。
【０１５３】
実施例４のズームレンズは、図４に示すように、物体側から順に、負の屈折力の第１レンズ群Ｇ１と、開口絞りＳと、正屈折力の第２レンズ群Ｇ２と、正屈折力の第３レンズ群Ｇ３とから構成されており、広角端から望遠端への変倍をする際に、第１レンズ群Ｇ１は、物体側に凹の軌跡で移動し、望遠端では広角端の位置より像面側に位置し、開口絞りＳと第２レンズ群Ｇ２は一体に物体側へ単調に移動し、第３レンズ群Ｇ３は像面側へ移動する。
【０１５４】
物体側から順に、第１レンズ群Ｇ１は、物体側に凸面を向けた負メニスカスレンズ２枚と、物体側に凸面を向けた正メニスカスレンズとからなり、第２レンズ群Ｇ２は、両凸正レンズと、物体側に凸面を向けた正メニスカスレンズと物体側に凸面を向けた負メニスカスレンズの接合レンズと、両凸正レンズとからなり、第３レンズ群Ｇ３は、両凸正レンズ１枚からなる。
【０１５５】
非球面は、第１レンズ群Ｇ１の物体側から２番目の負メニスカスレンズの両面、第２レンズ群Ｇ２の物体側の両凸正レンズの物体側の面、第３レンズ群Ｇ３の両凸正レンズの両面の５面に用いている。
【０１５６】
以上の各ズームレンズ共、近距離合焦をレンズ全体若しくは特定のレンズ群の移動にて行うようにしてもよい。また、第３レンズ群のみを移動させると、倍率の変化が抑えられ、移動するレンズも少なく好ましい。
【０１５７】
実施例５のズームレンズは、図５に示すように、物体側から順に、負の屈折力の第１レンズ群Ｇ１と、開口絞りＳと、正屈折力の第２レンズ群Ｇ２と、正屈折力の第３レンズ群Ｇ３とから構成されており、広角端から望遠端への変倍をする際に、第１レンズ群Ｇ１は、物体側に凹の軌跡で移動し、望遠端では広角端の位置より像面側に位置し、開口絞りＳと第２レンズ群Ｇ２は一体に物体側へ単調に移動し、第３レンズ群Ｇ３は像面側へ移動する。
【０１５８】
物体側から順に、第１レンズ群Ｇ１は、物体側に凸面を向けた負メニスカスレンズと、物体側に凸面を向けた負メニスカスレンズと物体側に凸面を向けた負メニスカスレンズの接合レンズと、物体側に凸面を向けた正メニスカスレンズとからなり、第２レンズ群Ｇ２は、両凸正レンズと、物体側に凸面を向けた正メニスカスレンズと物体側に凸面を向けた負メニスカスレンズの接合レンズと、両凸正レンズとからなり、第３レンズ群Ｇ３は、両凸正レンズ１枚からなる。
【０１５９】
非球面は、第１レンズ群Ｇ１の接合レンズの最も像面側の面、第２レンズ群Ｇ２の物体側の両凸正レンズの物体側の面、第３レンズ群Ｇ３の両凸正レンズの両面の４面に用いている。
【０１６０】
以上の各ズームレンズ共、近距離合焦をレンズ全体若しくは特定のレンズ群の移動にて行うようにしてもよい。また、第３レンズ群のみを移動させると、倍率の変化が抑えられ、移動するレンズも少なく好ましい。
【０１６１】
なお、上記実施例１〜５の広角端から望遠端の実画角２ωの範囲は次の通りである。
【０１６２】
実施例１  実画角２ω  ９１．７°〜２１．８°
実施例２  実画角２ω  ９１．７°〜２１．７°
実施例３  実画角２ω  ９１．６°〜２２．３°
実施例４  実画角２ω  ８２．９°〜２１．９°
実施例５  実画角２ω  ９０．９°〜２１．６°                              。
【０１６３】
以下に、上記各実施例の数値データを示すが、記号は上記の外、ｆは全系焦点距離、ＦNOはＦナンバー、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０１６４】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10
ただし、ｒは近軸曲率半径、Ｋは円錐係数、Ａ4 、Ａ6 、Ａ8 、Ａ10はそれぞれ４次、６次、８次、１０次の非球面係数である。
【０１６５】
実施例１
ｒ1 =   120.490             ｄ1 =  1.31     ｎd1 =1.77250 νd1 =49.60 
ｒ2 =     8.803             ｄ2 =  2.41     
ｒ3 =    18.045 （非球面）  ｄ3 =  1.43     ｎd2 =1.74330 νd2 =49.33 
ｒ4 =     8.094 （非球面）  ｄ4 =  3.05     
ｒ5 =    14.990             ｄ5 =  2.92     ｎd3 =1.84666 νd3 =23.78 
ｒ6 =    40.520             ｄ6 = （可変）  
ｒ7 =     ∞（絞り）        ｄ7 =  0.50     
ｒ8 =    14.360 （非球面）  ｄ8 =  1.96     ｎd4 =1.74330 νd4 =49.33 
ｒ9 =  -331.278             ｄ9 =  0.37     
ｒ10=    12.927             ｄ10=  3.50     ｎd5 =1.77250 νd5 =49.60 
ｒ11=   115.263             ｄ11=  2.37     ｎd6 =1.84666 νd6 =23.78 
ｒ12=     7.486             ｄ12=  0.69     
ｒ13=    33.417             ｄ13=  1.95     ｎd7 =1.48749 νd7 =70.23 
ｒ14=   -13.786             ｄ14= （可変）  
ｒ15=    21.995 （非球面）  ｄ15=  2.97     ｎd8 =1.49700 νd8 =81.54 
ｒ16=   -21.106 （非球面）  ｄ16= （可変）  
ｒ17=     ∞                ｄ17=  0.76     ｎd9 =1.54771 νd9 =62.84 
ｒ18=     ∞                ｄ18=  0.44     
ｒ19=     ∞                ｄ19=  0.40     ｎd10=1.51633 νd10=64.14 
ｒ20=     ∞                ｄ20=  0.60     
ｒ21=     ∞（像面）        
非球面係数
第３面
Ｋ  = -2.076
Ａ4 =  6.45927×10-5
Ａ6 =  6.49359×10-6
Ａ8 = -8.75295×10-8
Ａ10=  3.45632×10-10 
第４面
Ｋ  = -0.123
Ａ4 = -2.45406×10-4
Ａ6 =  6.68743×10-6
Ａ8 = -1.43236×10-7
Ａ10= -2.58394×10-10 
第８面
Ｋ  = -2.842
Ａ4 =  5.45802×10-5
Ａ6 = -8.40498×10-7
Ａ8 =  3.93728×10-8
Ａ10= -8.90443×10-10 
第１５面
Ｋ  = 17.207
Ａ4 = -4.08931×10-4
Ａ6 =  3.36877×10-5
Ａ8 = -1.34835×10-6
Ａ10=  1.83688×10-8
第１６面
Ｋ  = -5.667
Ａ4 = -2.68421×10-4
Ａ6 =  8.59656×10-5
Ａ8 = -4.00016×10-6
Ａ10=  9.20195×10-8
ズームデータ（∞）
ＷＥ            ＳＴ            ＴＥ
ｆ (mm)             3.991           8.545          18.189 
ＦNO                2.80            3.67            4.80  
ｄ6                26.79            9.98            2.08  
ｄ14                5.33           12.90           28.33  
ｄ16                2.41            2.20            1.98                    。
【０１６６】
実施例２
ｒ1 =   118.807             ｄ1 =  1.31     ｎd1 =1.77250 νd1 =49.60 
ｒ2 =     8.809             ｄ2 =  2.41     
ｒ3 =    18.035 （非球面）  ｄ3 =  1.39     ｎd2 =1.74330 νd2 =49.33 
ｒ4 =     7.941 （非球面）  ｄ4 =  3.10     
ｒ5 =    15.161             ｄ5 =  3.00     ｎd3 =1.84666 νd3 =23.78 
ｒ6 =    44.116             ｄ6 = （可変）  
ｒ7 =     ∞（絞り）        ｄ7 =  0.50     
ｒ8 =    12.553 （非球面）  ｄ8 =  2.00     ｎd4 =1.74330 νd4 =49.33 
ｒ9 = -1072.915             ｄ9 =  0.47     
ｒ10=    14.652             ｄ10=  2.88     ｎd5 =1.77250 νd5 =49.60 
ｒ11=   116.690             ｄ11=  2.58     ｎd6 =1.84666 νd6 =23.78 
ｒ12=     7.579             ｄ12=  0.66     
ｒ13=    28.801             ｄ13=  1.98     ｎd7 =1.48749 νd7 =70.23 
ｒ14=   -13.779             ｄ14= （可変）  
ｒ15=    25.196 （非球面）  ｄ15=  3.23     ｎd8 =1.49700 νd8 =81.54 
ｒ16=   -20.772 （非球面）  ｄ16= （可変）  
ｒ17=     ∞                ｄ17=  0.76     ｎd9 =1.54771 νd9 =62.84 
ｒ18=     ∞                ｄ18=  0.44     
ｒ19=     ∞                ｄ19=  0.40     ｎd10=1.51633 νd10=64.14 
ｒ20=     ∞                ｄ20=  0.60     
ｒ21=     ∞（像面）        
非球面係数
第３面
Ｋ  = -2.753
Ａ4 =  5.55177×10-5
Ａ6 =  6.78542×10-6
Ａ8 = -8.75312×10-8
Ａ10=  3.00839×10-10 
第４面
Ｋ  = -0.154
Ａ4 = -2.78544×10-4
Ａ6 =  7.01729×10-6
Ａ8 = -1.42051×10-7
Ａ10= -3.59350×10-10 
第８面
Ｋ  = -2.029
Ａ4 =  4.38908×10-5
Ａ6 = -2.45433×10-7
Ａ8 = -8.67387×10-9
Ａ10=  4.57999×10-10 
第１５面
Ｋ  = 26.077
Ａ4 = -4.19155×10-4
Ａ6 =  3.06327×10-5
Ａ8 = -1.13473×10-6
Ａ10=  3.54518×10-9
第１６面
Ｋ  = -3.248
Ａ4 = -2.66612×10-4
Ａ6 =  8.09076×10-5
Ａ8 = -3.64091×10-6
Ａ10=  7.64667×10-8
ズームデータ（∞）
ＷＥ            ＳＴ            ＴＥ
ｆ (mm)             3.990           8.545          18.288 
ＦNO                2.80            3.67            4.80  
ｄ6                26.74            9.60            1.50  
ｄ14                5.18           12.57           28.03  
ｄ16                2.52            2.40            2.40                    。
【０１６７】
実施例３
ｒ1 =  4500.383             ｄ1 =  1.32     ｎd1 =1.77250 νd1 =49.60 
ｒ2 =     9.359             ｄ2 =  2.41     
ｒ3 =    24.524 （非球面）  ｄ3 =  1.39     ｎd2 =1.74330 νd2 =49.33 
ｒ4 =     8.963 （非球面）  ｄ4 =  2.41     
ｒ5 =    17.943             ｄ5 =  2.89     ｎd3 =1.84666 νd3 =23.78 
ｒ6 =   284.297             ｄ6 = （可変）  
ｒ7 =     ∞（絞り）        ｄ7 =  0.50     
ｒ8 =    19.436 （非球面）  ｄ8 =  1.53     ｎd4 =1.74330 νd4 =49.33 
ｒ9 =   137.997             ｄ9 =  0.18     
ｒ10=    11.381             ｄ10=  3.19     ｎd5 =1.77250 νd5 =49.60 
ｒ11=  4390.531             ｄ11=  3.25     ｎd6 =1.84666 νd6 =23.78 
ｒ12=     8.260             ｄ12=  0.69     
ｒ13=    26.872             ｄ13=  2.09     ｎd7 =1.48749 νd7 =70.23 
ｒ14=   -12.935             ｄ14= （可変）  
ｒ15=    24.500 （非球面）  ｄ15=  1.90     ｎd8 =1.49700 νd8 =81.54 
ｒ16=   -24.796 （非球面）  ｄ16= （可変）  
ｒ17=     ∞                ｄ17=  0.76     ｎd9 =1.54771 νd9 =62.84 
ｒ18=     ∞                ｄ18=  0.44     
ｒ19=     ∞                ｄ19=  0.40     ｎd10=1.51633 νd10=64.14 
ｒ20=     ∞                ｄ20=  0.60     
ｒ21=     ∞（像面）        
非球面係数
第３面
Ｋ  =  0.000
Ａ4 = -1.09346×10-22 
Ａ6 =  7.42289×10-6
Ａ8 = -8.34361×10-8
Ａ10=  2.82193×10-10 
第４面
Ｋ  = -0.145
Ａ4 = -2.76977×10-4
Ａ6 =  8.02851×10-6
Ａ8 = -1.22644×10-7
Ａ10= -8.03256×10-13 
第８面
Ｋ  = -4.326
Ａ4 =  3.58731×10-6
Ａ6 =  1.37882×10-6
Ａ8 = -1.18290×10-7
Ａ10=  3.57210×10-9
第１５面
Ｋ  = 27.818
Ａ4 = -5.16300×10-4
Ａ6 = -6.63410×10-7
Ａ8 = -1.73194×10-6
Ａ10= -5.52968×10-10 
第１６面
Ｋ  =  0.000
Ａ4 = -2.87839×10-4
Ａ6 =  4.85820×10-5
Ａ8 = -5.34160×10-6
Ａ10=  1.27186×10-7
ズームデータ（∞）
ＷＥ            ＳＴ            ＴＥ
ｆ (mm)             3.995           8.550          17.995 
ＦNO                2.77            3.36            4.83  
ｄ6                27.65           10.79            2.05  
ｄ14                3.80           13.22           27.89  
ｄ16                4.77            3.08            1.86                    。
【０１６８】
実施例４
ｒ1 =   121.056             ｄ1 =  1.43     ｎd1 =1.77250 νd1 =49.60 
ｒ2 =     9.380             ｄ2 =  2.15     
ｒ3 =    16.015 （非球面）  ｄ3 =  1.44     ｎd2 =1.74330 νd2 =49.33 
ｒ4 =     8.193 （非球面）  ｄ4 =  2.98     
ｒ5 =    16.120             ｄ5 =  2.94     ｎd3 =1.84666 νd3 =23.78 
ｒ6 =    45.014             ｄ6 = （可変）  
ｒ7 =     ∞（絞り）        ｄ7 =  0.47     
ｒ8 =    14.773 （非球面）  ｄ8 =  1.86     ｎd4 =1.74330 νd4 =49.33 
ｒ9 =  -994.295             ｄ9 =  0.33     
ｒ10=    13.147             ｄ10=  2.82     ｎd5 =1.77250 νd5 =49.60 
ｒ11=    72.079             ｄ11=  2.42     ｎd6 =1.84666 νd6 =23.78 
ｒ12=     8.130             ｄ12=  0.66     
ｒ13=    29.342             ｄ13=  1.71     ｎd7 =1.48749 νd7 =70.23 
ｒ14=   -16.090             ｄ14= （可変）  
ｒ15=    25.866 （非球面）  ｄ15=  2.62     ｎd8 =1.49700 νd8 =81.54 
ｒ16=   -21.997 （非球面）  ｄ16= （可変）  
ｒ17=     ∞                ｄ17=  0.76     ｎd9 =1.54771 νd9 =62.84 
ｒ18=     ∞                ｄ18=  0.44     
ｒ19=     ∞                ｄ19=  0.40     ｎd10=1.51633 νd10=64.14 
ｒ20=     ∞                ｄ20=  0.60     
ｒ21=     ∞（像面）        
非球面係数
第３面
Ｋ  = -8.593
Ａ4 = -5.21721×10-5
Ａ6 =  1.35472×10-5
Ａ8 = -1.60073×10-7
Ａ10=  8.18893×10-10 
第４面
Ｋ  = -0.267
Ａ4 = -5.36622×10-4
Ａ6 =  1.87785×10-5
Ａ8 = -2.34186×10-7
Ａ10=  6.47476×10-10 
第８面
Ｋ  = -2.764
Ａ4 =  3.65365×10-5
Ａ6 =  1.70796×10-6
Ａ8 = -1.47291×10-7
Ａ10=  4.47653×10-9
第１５面
Ｋ  = 31.103
Ａ4 = -5.88505×10-4
Ａ6 =  5.86985×10-6
Ａ8 = -6.62903×10-7
Ａ10=  3.27987×10-9
第１６面
Ｋ  = -3.969
Ａ4 = -6.53373×10-4
Ａ6 =  9.42874×10-5
Ａ8 = -6.79301×10-6
Ａ10=  1.91081×10-7
ズームデータ（∞）
ＷＥ            ＳＴ            ＴＥ
ｆ (mm)             4.460           9.095          18.274 
ＦNO                2.80            3.67            4.80  
ｄ6                26.31           10.64            2.46  
ｄ14                5.71           13.58           26.94  
ｄ16                3.41            2.53            2.23                    。
【０１６９】
実施例５
ｒ1 =   175.213             ｄ1 =  1.72     ｎd1 =1.77250 νd1 =49.60 
ｒ2 =    10.494             ｄ2 =  2.72     
ｒ3 =    16.452             ｄ3 =  1.45     ｎd2 =1.80610 νd2 =40.92 
ｒ4 =    11.655             ｄ4 =  0.20     ｎd3 =1.58913 νd3 =61.14 
ｒ5 =     7.658 （非球面）  ｄ5 =  3.06     
ｒ6 =    15.803             ｄ6 =  3.15     ｎd4 =1.84666 νd4 =23.78 
ｒ7 =    39.534             ｄ7 = （可変）  
ｒ8 =     ∞（絞り）        ｄ8 =  0.57     
ｒ9 =    18.599 （非球面）  ｄ9 =  1.77     ｎd5 =1.74330 νd5 =49.33 
ｒ10=  -271.497             ｄ10=  0.44     
ｒ11=    11.608             ｄ11=  3.57     ｎd6 =1.77250 νd6 =49.60 
ｒ12=    67.817             ｄ12=  2.46     ｎd7 =1.84666 νd7 =23.78 
ｒ13=     7.841             ｄ13=  0.73     
ｒ14=    34.086             ｄ14=  3.51     ｎd8 =1.48749 νd8 =70.23 
ｒ15=   -14.106             ｄ15= （可変）  
ｒ16=    31.535 （非球面）  ｄ16=  1.44     ｎd9 =1.49700 νd9 =81.54 
ｒ17=   -26.953 （非球面）  ｄ17= （可変）  
ｒ18=     ∞                ｄ18=  0.76     ｎd10=1.54771 νd10=62.84 
ｒ19=     ∞                ｄ19=  0.44     
ｒ20=     ∞                ｄ20=  0.40     ｎd11=1.51633 νd11=64.14 
ｒ21=     ∞                ｄ21=  0.60     
ｒ22=     ∞（像面）        
非球面係数
第５面
Ｋ  = -0.857
Ａ4 = -7.20658×10-5
Ａ6 = -2.65051×10-6
Ａ8 =  3.22678×10-8
Ａ10= -2.37139×10-10 
第９面
Ｋ  = -6.350
Ａ4 =  7.34191×10-5
Ａ6 = -1.50741×10-9
Ａ8 = -7.32193×10-8
Ａ10=  2.84738×10-9
第１６面
Ｋ  =  9.919
Ａ4 = -1.55031×10-3
Ａ6 =  2.58262×10-4
Ａ8 = -1.81102×10-5
Ａ10=  4.58950×10-7
第１７面
Ｋ  =  3.996
Ａ4 = -1.80199×10-3
Ａ6 =  3.74853×10-4
Ａ8 = -2.56321×10-5
Ａ10=  6.32924×10-7
ズームデータ（∞）
ＷＥ            ＳＴ            ＴＥ
ｆ (mm)             4.030           8.621          18.388 
ＦNO                2.80            3.67            4.80  
ｄ7                32.78           12.74            2.52  
ｄ15                4.50           12.56           26.16  
ｄ17                3.73            2.29            1.59                    。
【０１７０】
以上の実施例１〜５の無限遠物点合焦時の収差図をそれぞれ図６〜図１０に示す。これらの収差図において、（ａ）は広角端、（ｂ）は中間状態、（ｃ）は望遠端における球面収差、非点収差、歪曲収差、倍率色収差を示す。各図中、“ＦＩＹ”は最大像高を示す。
【０１７１】
次に、上記各実施例における画角、条件式（１）〜（１４）の値、及び、ＩＨ、ｆw 、ｆt 、ｄa 、ｆra、ｆra／ＩＨ、ｄ11、ｄ12、ｄ13、ｄy1、ｄtotal 、ｆ1G、ｆ2G、ｒ1 、ｒ21、ｒ22、ＨＢ1 、ＨＤ12w 、ＴＬw の値を示す。
【０１７２】
実施例１    実施例２    実施例３    実施例４    実施例５
条件式（１）      0.902       0.902       0.901       0.807       0.893 
条件式（２）      2.315       2.301       2.169       2.035       2.485 
条件式（３）      0.424       0.412       0.399       0.440       0.421 
条件式（４）
ｄ12／ｄ11      1.092       1.061       1.053       1.007       0.843 
ｄ13／ｄ11      2.229       2.29        2.189       2.056       1.831 
条件式（５）      1           1           1           1           0.969 
条件式（６）      0.364       0.364       0.367       0.397       0.478 
条件式（７）      0           0           0           0           0.116 
条件式（８）     -0.917      -0.977      -1.328      -0.971      -0.872 
条件式（９）      0.0299      0.0303      0.0008      0.0297      0.0205
条件式（１０）    3.598       3.599       3.797       3.309       3.782 
条件式（１１）    0.104       0.103       0.098       0.106       0.086 
条件式（１２）   15.57       15.58       15.56       13.78       17.37
条件式（１３）    2.899       2.912       3.191       2.899       3.273 
条件式（１４）    4.558       4.583       4.504       4.097       4.563 
ＩＨ              3.60        3.60        3.60        3.60        3.60
ｆw               3.991       3.990       3.995       4.460       4.03
ｆt              18.189      18.288      17.995      18.274      18.388 
ｄa              26.79       26.74       27.65       26.31       32.78
ｆra              3.991       3.990       3.995       4.460       4.03
（広角端時焦点距離を選択）
ｆra／ＩＨ        1.109       1.108       1.110       1.239       1.119 
ｄ11              1.31        1.31        1.32        1.43        1.72
ｄ12              1.43        1.39        1.39        1.44        1.45
ｄ13              2.92        3           2.89        2.94        3.15
ｄy1              0           0           0           0           0.20
ｄtotal           5.66        5.70        5.60        5.81        6.52
ｆ1G            -11.57      -11.62      -12.75      -12.93      -13.19
ｆ2G             14.36       14.36       15.17       14.76       15.24
ｒ1             120.490     118.807    4500.383     121.056     175.213 
ｒ21             14.36       12.553      19.436      14.773      18.599 
ｒ22           -331.278   -1072.915     137.997    -994.295    -271.497 
ＨＢ1             8.49        8.73        9.02        8.18       -8.56
ＨＤ12w          34.68       35.08       36.92       34.06       41.83
ＴＬw            62.15       62.15       62.17       61.45       70.01
。
【０１７３】
図１１〜図１３は、以上のようなズームレンズを撮影光学系４１に組み込んだ本発明によるデジタルカメラの構成の概念図を示す。図１１はデジタルカメラ４０の外観を示す前方斜視図、図１２は同後方正面図、図１３はデジタルカメラ４０の構成を示す模式的な断面図である。ただし、図１１と図１３においては、撮影光学系４１の非沈胴時を示している。デジタルカメラ４０は、この例の場合、撮影用光路４２を有する撮影光学系４１、ファインダー用光路４４を有するファインダー光学系４３、シャッターボタン４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図１３の非沈胴状態になり、カメラ４０の上部に配置されたシャッターボタン４５を押圧すると、それに連動して撮影光学系４１、例えば実施例１のズームレンズを通して撮影が行われる。撮影光学系４１によって形成された物体像が、波長域制限コートを施したローパスフィルタＦとカバーガラスＣを介してＣＣＤ４９の撮像面（光電変換面）上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【０１７４】
さらに、ファインダー用光路４４上にはファインダー用対物光学系５３が配置してある。ファインダー用対物光学系５３は、複数のレンズ群（図の場合は３群）と２つのプリズムからなり、撮影光学系４１のズームレンズに連動して焦点距離が変化するズーム光学系からなり、このファインダー用対物光学系５３によって形成された物体像は、像正立部材である正立プリズム５５の視野枠５７上に形成される。この正立プリズム５５の後方には、正立正像にされた像を観察者眼球Ｅに導く接眼光学系５９が配置されている。なお、接眼光学系５９の射出側にカバー部材５０が配置されている。
【０１７５】
このように構成されたデジタルカメラ４０は、撮影光学系４１が、本発明により、十分な広角域を有し、コンパクトな構成としながら、高変倍で全変倍域で結像性能が極めて安定的であるので、高性能・小型化・広角化が実現できる。
【０１７６】
本発明は、以上のような一般的な被写体を撮影する所謂コンパクトデジタルカメラだけでなく、広い画角が必要な監視カメラや、レンズ交換式のカメラに適用してもよい。
【図面の簡単な説明】
【０１７７】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】実施例１の無限遠物点合焦時の収差図である。
【図７】実施例２の無限遠物点合焦時の収差図である。
【図８】実施例３の無限遠物点合焦時の収差図である。
【図９】実施例４の無限遠物点合焦時の収差図である。
【図１０】実施例５の無限遠物点合焦時の収差図である。
【図１１】本発明によるデジタルカメラの外観を示す前方斜視図である。
【図１２】図１１のデジタルカメラの後方斜視図である。
【図１３】図１１のデジタルカメラの断面図である。
【符号の説明】
【０１７８】
Ｇ１…第１レンズ群
Ｇ２…第２レンズ群
Ｇ３…第３レンズ群
Ｓ…開口絞り
Ｆ…ローパスフィルタ
Ｃ…カバーガラス
Ｉ…像面
Ｅ…観察者眼球
４０…デジタルカメラ
４１…撮影光学系
４２…撮影用光路
４３…ファインダー光学系
４４…ファインダー用光路
４５…シャッターボタン
４６…フラッシュ
４７…液晶表示モニター
４９…ＣＣＤ
５０…カバー部材
５１…処理手段
５２…記録手段
５３…ファインダー用対物光学系
５５…正立プリズム
５７…視野枠
５９…接眼光学系
６０…カバー
６１…焦点距離変更ボタン
６２…設定変更スイッチ
【図１】
2006343534.tif 000003
【図２】
2006343534.tif 000004
【図３】
2006343534.tif 000005
【図４】
2006343534.tif 000006
【図５】
2006343534.tif 000007
【図６】
2006343534.tif 000008
【図７】
2006343534.tif 000009
【図８】
2006343534.tif 000010
【図９】
2006343534.tif 000011
【図１０】
2006343534.tif 000012
【図１１】
2006343534.tif 000013
【図１２】
2006343534.tif 000014
【図１３】
2006343534.tif 000015